(57)【要約】【課題】開封後でも容器本体を蓋体で適切に閉じることができ、納豆容器からの放出される臭いを抑制することができる納豆容器を提供する。【解決手段】納豆を収容可能な凹部１１と、本体フランジ部１２とを有する容器本体１０と、凹部１１の開口を覆う蓋部２１と、蓋体フランジ部２２とを有する蓋体２０と備える納豆容器１であって、容器本体１０と蓋体２０とは接続部３０を介して接続されており、本体フランジ部１２および蓋体フランジ部２２は、互いに係合可能な、本体係合部１３および蓋体係合部２３をそれぞれ有し、本体係合部１３および蓋体係合部２３が、平面視において接続部３０側に形成されている、納豆容器。【選択図】図１
2020029264.tif 000002
【特許請求の範囲】
【請求項１】
納豆を収容可能な凹部と、本体フランジ部とを有する容器本体と、
前記凹部の開口を覆う蓋部と、蓋体フランジ部とを有する蓋体と備える納豆容器であって、
前記容器本体と前記蓋体とは接続部を介して接続されており、
前記本体フランジ部および前記蓋体フランジ部は、互いに係合可能な、本体係合部および蓋体係合部をそれぞれ有し、
前記本体係合部および前記蓋体係合部が、平面視において前記接続部側に形成されている、納豆容器。
【請求項２】
納豆を収容可能な凹部と、本体フランジ部とを有する容器本体と、
前記凹部の開口を覆う蓋部と、蓋体フランジ部とを有する蓋体とを備える納豆容器であって、
前記本体フランジ部および前記蓋体フランジ部は、互いに係合可能な、本体係合部および蓋体係合部をそれぞれ有し、
前記本体係合部と前記蓋体係合部とを互いに係合させることで、前記本体係合部の復元力により前記本体係合部が前記蓋体の上面から前記蓋体を前記容器本体に押さえつけ、または、前記蓋体係合部の復元力により前記蓋体係合部が前記容器本体の下面から前記容器本体を前記蓋体に押さえつける、納豆容器。
【請求項３】
前記本体係合部および前記蓋体係合部の一方は、前記容器本体または前記蓋体に切り込み、ミシン線、または溝を入れて形成され、前記容器本体または前記蓋体から突出させることができる突出部であり、
前記本体係合部および前記蓋体係合部の他方は、前記突出部が挿入可能な挿入口である請求項１または２に記載の納豆容器。
【請求項４】
前記本体係合部および前記蓋体係合部は、正面視において切り込み、ミシン目、または溝を斜めに入れることで形成され、
前記蓋体係合部の上面と前記本体係合部の下面とが接するように、前記蓋体係合部と前記本体係合部とを掛け合わせることが可能な、請求項１ないし３のいずれかに記載の納豆容器。
【請求項５】
納豆を収容可能な凹部と、本体フランジ部とを有する容器本体と、
前記凹部の開口を覆う蓋部と、蓋体フランジ部とを有する蓋体と備える納豆容器であって、
前記本体フランジ部および前記蓋体フランジ部は、互いに係合可能な、本体係合部および蓋体係合部をそれぞれ有し、
前記本体係合部は、前記本体フランジ部の側面に形成されており、
前記蓋体係合部は、前記本体係合部を側面から挟み込み込んで、前記蓋体係合部と係合する、納豆容器。
【請求項６】
前記本体係合部および前記蓋体係合部は、正面視において切り込み、ミシン目、または溝を斜めに入れることで形成されている、請求項５に記載の納豆容器。
【請求項７】
前記本体係合部および前記蓋体係合部は、前記容器本体および前記蓋体の平面視における四隅のうち少なくとも二隅にそれぞれ形成されている、請求項１ないし６のいずれかに記載の納豆容器。
【請求項８】
前記容器本体および前記蓋体が互いに分離可能であり、
前記容器本体と前記蓋体とを分離した後も、前記本体係合部と前記蓋体係合部とを互いに係合させることで、前記容器本体の開口全体を前記蓋体により覆うことができる、請求項１ないし７のいずれかに記載の納豆容器。
【請求項９】
前記本体係合部および前記蓋体係合部が、前記開口を挟んだ少なくとも二か所にそれぞれ配置される、請求項１ないし８のいずれかに記載の納豆容器。
【発明の詳細な説明】
【技術分野】
【０００１】
本発明は、開封後に容器本体を蓋体で適切に閉じることができ、納豆容器からの放出される臭いを抑制することができる納豆容器に関する。
【背景技術】
【０００２】
従来、納豆を収容する凹部を有する容器本体と、蓋体とからなる納豆容器が知られている。このような納豆容器において、容器本体と蓋体とを接着層を介して接着させることで、流通時や店頭での販売時に、容器本体を蓋体で閉じた状態とする技術が知られている（たとえば特許文献１）。
【先行技術文献】
【特許文献】
【０００３】
【特許文献１】特開２０１４−１５６２６１号公報
【発明の概要】
【発明が解決しようとする課題】
【０００４】
従来は、容器本体を一度開封してしまうと、開封後に、容器本体を蓋体でしっかりと閉じることができないため、納豆容器を廃棄する場合などに、容器本体に残留した納豆（または残留液）の臭いが容器本体外部に漏れ出してしまうという問題があった。
【０００５】
本発明は、開封後でも容器本体を蓋体で適切に閉じることができ、納豆容器からの放出される臭いを抑制することができる納豆容器を提供することを目的とする。
【課題を解決するための手段】
【０００６】
本発明の第１の観点に係る納豆容器は、納豆を収容可能な凹部と、本体フランジ部とを有する容器本体と、前記凹部の開口を覆う蓋部と、蓋体フランジ部とを有する蓋体と備える納豆容器であって、前記容器本体と前記蓋体とは接続部を介して接続されており、前記本体フランジ部および前記蓋体フランジ部は、互いに係合可能な、本体係合部および蓋体係合部をそれぞれ有し、前記本体係合部および前記蓋体係合部が、平面視において前記接続部側に形成されている。
本発明の第２の観点に係る納豆容器は、納豆を収容可能な凹部と、本体フランジ部とを有する容器本体と、前記凹部の開口を覆う蓋部と、蓋体フランジ部とを有する蓋体とを備える納豆容器であって、前記本体フランジ部および前記蓋体フランジ部は、互いに係合可能な、本体係合部および蓋体係合部をそれぞれ有し、前記本体係合部と前記蓋体係合部とを互いに係合させることで、前記本体係合部の復元力により前記本体係合部が前記蓋体の上面から前記蓋体を前記容器本体に押さえつけ、または、前記蓋体係合部の復元力により前記蓋体係合部が前記容器本体の下面から前記容器本体を前記蓋体に押さえつける。
上記納豆容器において、前記本体係合部および前記蓋体係合部の一方は、前記容器本体または前記蓋体に切り込み、ミシン線、または溝を入れて形成され、前記容器本体または前記蓋体から突出させることができる突出部であり、前記本体係合部および前記蓋体係合部の他方は、前記突出部が挿入可能な挿入口であるように構成することができる。
上記納豆容器において、前記本体係合部および前記蓋体係合部は、正面視において切り込み、ミシン目、または溝を斜めに入れることで形成され、前記蓋体係合部の上面と前記本体係合部の下面とが接するように、前記蓋体係合部と前記本体係合部とを掛け合わせることが可能なように構成することができる。
本発明の第３の観点に係る納豆容器は、納豆を収容可能な凹部と、本体フランジ部とを有する容器本体と、前記凹部の開口を覆う蓋部と、蓋体フランジ部とを有する蓋体と備える納豆容器であって、前記本体フランジ部および前記蓋体フランジ部は、互いに係合可能な、本体係合部および蓋体係合部をそれぞれ有し、前記本体係合部は、前記本体フランジ部の側面に形成されており、前記蓋体係合部は、前記本体係合部を側面から挟み込んで、前記蓋体係合部と係合する。
上記納豆容器において、前記本体係合部および前記蓋体係合部は、正面視において切り込み、ミシン目、または溝を斜めに入れることで形成されているように構成することができる。
上記納豆容器において、前記本体係合部および前記蓋体係合部は、前記容器本体および前記蓋体の平面視における四隅のうち少なくとも二隅にそれぞれ形成されているように構成することができる。
上記納豆容器において、前記容器本体および前記蓋体が互いに分離可能であり、前記容器本体と前記蓋体とを分離した後も、前記本体係合部と前記蓋体係合部とを互いに係合させることで、前記容器本体の開口全体を前記蓋体により覆うことができるように構成することができる。
上記納豆容器において、前記本体係合部および前記蓋体係合部が、前記開口を挟んだ少なくとも二か所にそれぞれ配置されるように構成することができる。
【発明の効果】
【０００７】
本発明によれば、開封後でも蓋体で容器本体の開口を適切に閉じることができ、納豆容器からの放出される臭いを抑制することができる。
【図面の簡単な説明】
【０００８】
【図１】第１実施形態に係る納豆容器の斜視図である。
【図２】第１実施形態に係る納豆容器において、本体係合部を上方向に突出させた状態を示す図である。
【図３】第１実施形態に係る納豆容器において、本体係合部および蓋体係合部を係合させた状態を示す図である。
【図４】他の実施形態（その１）に係る納豆容器の斜視図である。
【図５】他の実施形態（その２）に係る納豆容器の斜視図である。
【図６】他の実施形態（その３）に係る納豆容器の斜視図である。
【図７】他の実施形態（その４）に係る納豆容器の斜視図である。
【図８】他の実施形態（その４）に係る納豆容器において、本体係合部および蓋体係合部を係合させた状態を示す図である。
【図９】第２実施形態に係る納豆容器の底面図である。
【図１０】第２実施形態に係る納豆容器を切り離した状態の底面図である。
【図１１】第２実施形態に係る納豆容器を側面図である。
【図１２】第２実施形態に係る納豆容器を切り離した状態の側面図である。
【図１３】他の実施形態（その５）に係る納豆容器の斜視図である。
【図１４】他の実施形態（その５）に係る納豆容器の底面図である。
【図１５】他の実施形態（その６）に係る納豆容器の底面図である。
【図１６】第３実施形態に係る納豆容器の正面図である。
【図１７】第３実施形態に係る納豆容器において、本体係合部および蓋体係合部を係合させた状態を示す図である。
【図１８】他の実施形態（その７）に係る納豆容器の斜視図である。
【図１９】他の実施形態（その７）に係る納豆容器において、本体係合部および蓋体係合部を係合させた状態を示す図である。
【図２０】図１９のＡ−Ａ線に沿う断面概要図である。
【発明を実施するための形態】
【０００９】
以下に、図に基づいて、本実施形態に係る納豆容器を説明する。
【００１０】
《第１実施形態》
図１は、第１実施形態に係る納豆容器１の斜視図である。納豆容器１は、図１に示すように、容器本体１０および蓋体２０から構成される。容器本体１０および蓋体２０は、接続部３０を介して接続している。接続部３０には、ミシン目が形成されており、当該ミシン目（接続部３０）を切断することで、容器本体１０と蓋体２０とを分離することが可能となっている。なお、納豆容器１（容器本体１０および蓋体２０）の素材は、発泡樹脂など公知のものを使用することができる。また、容器本体１０および蓋体２０は発泡樹脂製の合成シートから一体的に成形することもできる。
【００１１】
図１では、容器本体１０の凹部１１を開口した状態を例示しているが、納豆容器１に納豆が収容され、流通・販売されている状態では、納豆容器１は、接着層４０により容器本体１０と蓋体２０とが接着されている。納豆容器１から納豆を取り出す場合は、容器本体１０と蓋体２０とを引き離すことで、容器本体１０の凹部１１を開口させることができる。
【００１２】
容器本体１０は、納豆が収容される凹部１１と本体フランジ部１２とを有する。本体フランジ部１２には、蓋体２０に係合するために、本体係合部１３が形成されている。本体係合部１３は、図１に示すように、本体フランジ部１２を平面視した四隅のうち接続部３０側の二隅に構成されている。また、本体係合部１３は、所定距離以上（たとえば１センチメートル以上）離れた少なくとも２か所に構成され、本実施形態では、所定距離以上離れた本体フランジ部１２の二隅に構成されている。
【００１３】
また、第１実施形態に係る納豆容器１では、図１に示すように、本体係合部１３は、本体フランジ部１２に舌片状に切り込み、ミシン目、またはハーフカットなどの溝を形成することで、構成されている。これにより、図２に示すように、本体係合部１３を、本体フランジ部１２の下側から上側へと指で押すことで、本体係合部１３を本体フランジ部１２から上方向に突出させることができる。なお、図２は、第１実施形態に係る納豆容器１において、本体係合部１３を上方向に突出させた状態を示す図である。
【００１４】
また、蓋体２０も、図１に示すように、容器本体１０の凹部１１の開口を閉じる蓋部２１と、蓋部２１の周囲に形成されている蓋体フランジ部２２とを有する。また、蓋体フランジ部２２には、容器本体１０に係合するために、蓋体係合部２３が形成されている。本実施形態において、蓋体係合部２３は、本体係合部１３と同様に、蓋体２０の四隅のうち二隅であって、本体係合部１３に対応する位置にそれぞれ形成される。
【００１５】
第１実施形態に係る納豆容器１では、図１に示すように、蓋体係合部２３は、蓋体フランジ部２２に直線状に切り込み、または、ミシン目を形成することで、構成されている。これにより、蓋体係合部２３を指で押すことで、蓋体係合部２３を開口させることができる。また、容器本体１０と蓋体２０とを重ねた状態で、容器本体１０の下側から本体係合部１３を上方向に押し出すことで、本体係合部１３を上方向に突出させ、これにより、図３に示すように、突出部である本体係合部１３を、挿入口である蓋体係合部２３に挿入させることができる。その結果、本体係合部１３と蓋体係合部２３とを互いに上下に係合させることができる。
【００１６】
以上のように、第１実施形態に係る納豆容器１では、本体係合部１３が舌片状の突出部として構成され、蓋体係合部２３が挿入口として構成されており、本体係合部１３を蓋体係合部２３に挿入することで、本体係合部１３と蓋体係合部２３とを上下に係合させることができる。特に、本実施形態に係る納豆容器１では、本体係合部１３の根本の一点だけで蓋体係合部２３と係合するのではなく、上方向に傾けた本体係合部１３の復元力（下方向に戻る力）により、本体係合部１３全体で、本体係合部１３が蓋体２０を容器本体１０に押さえつけることができ、蓋体２０で容器本体１０をしっかりと閉じることができる。
【００１７】
また、本実施形態では、図１〜３に示すように、納豆容器１を平面視した場合に、納豆容器１の四隅のうち接続部３０側の二隅に本体係合部１３および蓋体係合部２３をそれぞれ形成することで、本体係合部１３および蓋体係合部２３を係合させる場合に、納豆を納豆容器１から取り出す際に納豆が付着する側（接着層４０が配置される側）に使用者の手が触れてしまい、手を汚してしまうことを有効に防止することができる。
【００１８】
さらに、本実施形態に係る納豆容器１では、本体係合部１３および蓋体係合部２３が、平面視において所定距離以上離れて（特に、本実施形態では、四隅のうち少なくとも二隅に）配置される。ここで、本実施形態に係る納豆容器１では、接続部３０を切り離すことで容器本体１０および蓋体２０が分離可能となっており、容器本体１０と蓋体２０とを分離した場合において、本体係合部１３と蓋体係合部２３とを一か所のみで係合させた場合では、容器本体１０と蓋体２０とが外れやすくなってしまい、凹部１１を挟んだ反対側において蓋体２０と容器本体１０とが接せず（蓋体２０が容器本体１０から離れて浮いてしまい）、納豆容器１をしっかりと閉じることができない場合がある。これに対して、所定距離以上離れた少なくとも２か所以上の位置において、本体係合部１３および蓋体係合部２３を係合させることで、本体係合部１３および蓋体係合部２３が配置されている側だけではなく、本体係合部１３および蓋体係合部２３が配置されていない反対側（凹部１１を挟んだ反対側）においても、容器本体１０と蓋体２０とを接しさせて、納豆容器１をより確実に閉じることができ、納豆容器１から放出される臭いをより抑えることができる。
【００１９】
なお、上述した実施形態では、本体係合部１３として舌片状の突出部を構成し、蓋体係合部２３として挿入口を構成する例を説明したが、この構成に限定されず、たとえば、図４に示すように、蓋体２０ａの蓋体フランジ部２２ａに舌片状に切り込み、ミシン目、または溝を形成することで、蓋体係合部２３ａを構成し、容器本体１０ａの本体フランジ部１２ａに直線状に切り込み、ミシン目、または溝を形成することで、本体係合部１３ａを構成してもよい。この場合、蓋体係合部２３ａを上側から下側に押すことで、蓋体係合部２３ａを下方向に突出させて本体係合部１３ａに挿入し、蓋体係合部２３ａと本体係合部１３ａとを互いに係合させることができる。なお、図４は、本体係合部１３ａおよび蓋体係合部２３ａの他の構成例を説明するための図である。
【００２０】
また、上述した実施形態では、容器本体１０および蓋体２０の平面視における四隅のうち隣り合う二隅（対角にない二隅）において、本体係合部１３および蓋体係合部２３を形成する構成を例示したが、この構成に限定されず、たとえば図５に示すように、本体係合部１３ｂおよび蓋体係合部２３ｂを、平面視における四隅のうち少なくとも対角線上にある二隅に配置する構成としてもよい。また、図示していないが、四隅ではなくても、凹部１１を挟んだ２か所以上の位置に本体係合部および蓋体係合部を形成する構成としてもよい。これらの場合、凹部１１を挟んだ両側で容器本体１０ｂと蓋体２０ｂとをしっかりと閉じることができるため、納豆容器１をよりしっかりと閉じることができる。なお、図５も、本体係合部１３ｂおよび蓋体係合部２３ｂの他の構成例を説明するための図である。
【００２１】
さらに、上述した実施形態では、図１に示すように、本体係合部１３および蓋体係合部２３を容器本体１０および蓋体２０の後方側（奥側）にそれぞれ配置する構成を例示したが、この構成に限定されず、たとえば、図６に示すように、本体係合部１３ｃおよび蓋体係合部２３ｃを容器本体１０ｃおよび蓋体２０ｃの前方側（手前側）にそれぞれ配置する構成としてもよい。また、上述した実施形態では、図１に示すように、本体係合部１３を、本体係合部１３の先端が外側（凹部１１側の反対側）に向くように形成する構成を例示したが、この構成に限定されず、図６に示すように、本体係合部１３ｃを、本体係合部１３の先端が内側（凹部１１側）に向くように形成する構成としてもよい。なお、図６も、本体係合部１３ｃおよび蓋体係合部２３ｃの他の構成例を説明するための図である。
【００２２】
加えて、上述した実施形態では、図１に示すように、本体係合部１３を舌片状の形状に形成する構成を例示したが、この構成に限定されず、たとえば、図７に示すように、本体係合部１３ｄを先端ほど広くしたテーパー状に形成する構成としてもよい。この場合、蓋体係合部２３ｄは、切り込み、ミシン線、または溝を矩形状に形成することで構成することが好ましい。これにより、容器本体１０ｄと蓋体２０ｄとを重ねた状態で、容器本体１０ｄの本体フランジ部１２ｄの下側から本体係合部１３ｄを上方向に押し出すことで、本体係合部１３ｄが上方向に突出し、これにより、図８に示すように、突出部である本体係合部１３ｄを、挿入口である蓋体係合部２３ｄに挿入させることができ、本体係合部１３ｄと蓋体係合部２３ｄとを互いに係合させることができる。特に、この場合、本体係合部１３ｄがテーパー状となっており、図８に示すように、本体係合部１３ｄの先端部の左右両端が蓋体２０ｄの上面に引っ掛かることで、蓋体２０ｄを容器本体１０ｄにより強固に固定させることができる。なお、図７および図８は、本体係合部１３ｄおよび蓋体係合部２３ｄの他の構成例を説明するための図である。
【００２３】
《第２実施形態》
次に、第２実施形態に係る納豆容器１ｅについて説明する。図９は、第２実施形態に係る納豆容器１ｅの底面図であり、図１０は、第２実施形態に係る納豆容器１ｅを切り離した状態の底面図であり、図１１は、第２実施形態に係る納豆容器１ｅを側面図であり、図１２は、第２実施形態に係る納豆容器１ｅを切り離した状態の側面図である。
【００２４】
第２実施形態に係る納豆容器１ｅでは、図９および図１１に示すように、蓋体フランジ部２２ｅおよび本体フランジ部１２ｅが、一方向において、第１実施形態に係る納豆容器１よりも広く形成されている。そして、納豆容器１ｅでは、広く形成された本体フランジ部１２ｅに、切り込み、ミシン線、または溝が直線状に形成されており、切り込み、ミシン線、または溝を介して、本体係合部１３ｅと蓋体係合部２３ｅとが構成されている。
【００２５】
使用者が納豆容器１ｅから納豆を取り出す場合には、容器本体１０ｅのフランジ部に形成された切り込み、ミシン線、または溝に沿って、蓋体２０ｅを容器本体１０ｅから切り離す。ここで、第２実施形態に係る納豆容器１ｅでは、切り込み、ミシン線、または溝よりも外側（凹部１１と反対側）において、蓋体フランジ部２２ｅおよび本体フランジ部１２ｅを接着する接着層４０を設けている（図中、破線で示している）。そのため、本体フランジ部１２ｅに形成された切り込み、ミシン線、または溝に沿って、蓋体２０ｅを容器本体１０ｅから切り離した場合、図１０および図１２に示すように、本体フランジ部１２ｅの一部が、蓋体２０ｅと一体的に容器本体１０ｅから切り離される。
【００２６】
そして、第２実施形態に係る納豆容器１ｅでは、蓋体２０ｅを容器本体１０ｅから切り離す前の位置に合わせて蓋体２０ｅを容器本体１０ｅに被せることで、蓋体係合部２３ｅが本体係合部１３ｅを側面から挟み込むように本体係合部１３ｅと蓋体係合部２３ｅとを互いに係合させることができ、容器本体１０ｅの凹部１１を蓋体２０ｅで閉じることができる。特に、本実施形態では、図１１および図１２に示すように、切り込み、ミシン線、または溝が、側面から見た場合に斜めになるように入れられている。これにより、本体係合部１３ｅと蓋体係合部２３ｅとの係合を強化することができる。
【００２７】
以上のように、第２実施形態に係る納豆容器１ｅは、蓋体係合部２３ｅが本体係合部１３ｅを挟み込むように、蓋体係合部２３ｅと本体係合部１３ｅとが互いに係合することで、接続部３０を切断して容器本体１０ｅと蓋体２０ｅとを分離した後も、本体係合部１３ｅおよび蓋体係合部２３ｅが配置されている側だけではなく、本体係合部１３ｅおよび蓋体係合部２３ｅが配置されていない反対側においても、容器本体１０ｅと蓋体２０ｅとを接しさせて、納豆容器１ｅをしっかりと閉じることができ、納豆容器１ｅから放出される臭いを抑えることができる。
【００２８】
また、上述した第２実施形態では、平面視における納豆容器１ｅの２辺において、蓋体係合部２３ｅと本体係合部１３ｅとが互いに係合させる構成を例示したが、この構成に限定されず、たとえば、図１３および図１４に示すように、本体フランジ部１２ｆの二隅において、切り込み、ミシン線、または溝を入れて、蓋体２０ｆを容器本体１０ｆから切り離し可能とする構成としてもよい。この場合、本体フランジ部１２ｆの容器本体１０ｆから切り離された部分は、蓋体２０ｆと接着層４０を介して接着されており、納豆容器１ｆを開封した場合に、図１３に示すように、蓋体２０ｆの蓋体係合部２３ｆを構成する。一方、容器本体１０ｆにおいて本体フランジ部１２ｆの二隅が切り取られた部分は、図１３に示すように、蓋体係合部２３ｅｆ係合する本体係合部１３ｆを構成する。
【００２９】
これにより、図１３および図１４に示す納豆容器１ｆでは、納豆容器１ｆから納豆を取り出した後は、図１４に示すように、蓋体係合部２３ｆが本体係合部１３ｆの側面を挟み込むように、蓋体２０ｆを容器本体１０ｆに被せることで、蓋体係合部２３ｆと本体係合部１３ｆとを互いに係合させて、容器本体１０ｆを蓋体２０ｆで閉じることができる。なお、納豆容器１ｆにおいても、第２実施形態に係る納豆容器１ｅと同様に、切り込み、ミシン線、または溝が、側面から見た場合に斜めになるように入れられており、これにより、本体係合部１３ｆと蓋体係合部２３ｆとの係合を強化することができる。なお、図１３は、他の実施形態に係る納豆容器１ｆの斜視図であり、図１４は、他の実施形態に係る納豆容器１ｆの底面図である。
【００３０】
また、上述した納豆容器１ｆでは、平面視における四隅のうち前方側（図中の手前側）の２隅において蓋体係合部２３ｆおよび本体係合部１３ｆを形成する構成を例示したが、この構成に限定されず、たとえば、図１５に示すように、平面視における四隅すべてに蓋体係合部２３ｇおよび本体係合部１３ｇを形成する構成としてもよい。この場合、より強固に、容器本体１０ｇに蓋体２０ｇを取り付けることができ、納豆容器１ｇをより確実に閉じることができ、納豆容器１ｇから放出される臭いをより抑えることができる。
【００３１】
《第３実施形態》
次に、第３実施形態に係る納豆容器１について説明する。図１６は、第３実施形態に係る納豆容器１ｈの正面図であり、図１７は、第３実施形態に係る納豆容器１ｈにおいて、本体係合部１３ｈと蓋体係合部２３ｈとを係合させた状態を示す図である。第３実施形態係る納豆容器１ｈは、本体係合部１３ｈと蓋体係合部２３ｈとが、以下に説明するように構成されること以外は、第１実施形態に係る納豆容器１と同様に構成される。
【００３２】
第３実施形態に係る納豆容器１ｈでは、図１６に示すように、正面視において、容器本体１０ｈの本体フランジ部１２ｈおよび蓋体２０ｈの蓋体フランジ部２２ｈに、切り込み、ミシン線、または溝が、斜めに入れられており、これにより、容器本体１０ｈの本体フランジ部１２ｈおよび蓋体２０ｈの蓋体フランジ部２２ｈに、本体係合部１３ｈおよび蓋体係合部２３ｈがそれぞれ形成されている。本体フランジ部１２ｈおよび蓋体フランジ部２２ｈに斜めに切り込み、ミシン線、または溝を入れることで、図１７に示すように、蓋体係合部２３ｈの上面と本体係合部１３ｈの下面とが接するように、蓋体係合部２３ｈと本体係合部１３ｈとを上下に互いに掛け合わせることが可能となる。
【００３３】
また、本実施形態では、本体フランジ部１２ｈおよび蓋体フランジ部２２ｈの端部から凹部１１に向けて、切り込み、ミシン線、または溝を、２〜４ｍｍ入れることで、蓋体係合部２３ｈおよび本体係合部１３ｈが構成されている。このように、切り込み、ミシン線、または溝を２〜４ｍｍと短くすることで、物流時や販売時に切り込み、ミシン線、または溝が破断してしまうことを抑制することができる。また、使用者は、蓋体係合部２３ｈと本体係合部１３ｈとを掛け合わせる場合には、切り込み、ミシン線、または溝を破断させるとともに、破断させた位置から本体フランジ部１２ｈおよび蓋体フランジ部２２ｈをさらに内側に指で破断させることで、蓋体係合部２３ｈと本体係合部１３ｈとを容易に掛け合わせることもできる。
【００３４】
以上のように、第３実施形態に係る納豆容器１ｈにおいて、本体係合部１３ｈおよび蓋体係合部２３ｈは、正面視において斜めに、切り込み、ミシン目、または溝を形成することで構成されており、これにより、蓋体係合部２３ｈの上面と本体係合部１３ｈの下面とが接するように、蓋体係合部２３ｈと本体係合部１３ｈとを上下に掛け合わせることができる。その結果、納豆容器１ｈを開封した後も、蓋体係合部２３ｈと本体係合部１３ｈとを上下に掛け合わせることで、蓋体係合部２３ｈの上方向への復元力により容器本体１０ｈを蓋体２０ｈ側へと押さえつけるとともに、本体係合部１３ｈの下方向への復元力とにより蓋体２０ｈを容器本体１０ｈ側へと押さえつけることができ、蓋体２０ｈと容器本体１０ｈとを互いに強固に係合させることができる。その結果、第１実施形態および第２実施形態と同様に、本体係合部１３ｈおよび蓋体係合部２３ｈが配置されていない反対側においても、容器本体１０ｈと蓋体２０ｈとを接しさせて、納豆容器１ｈをより確実に閉じることができ、納豆容器１ｈから放出される臭いを抑えることができる。
【００３５】
また、第３実施形態では、図１６および図１７に示すように、本体フランジ部１２ｈおよび蓋体フランジ部２２ｈの端部に斜めに切り込み、ミシン目、または溝を形成することで、蓋体係合部２３ｈと本体係合部１３ｈとを形成する構成を例示したが、この構成に限定されず、たとえば、図１８〜２０に示すように、納豆容器１ｉを構成することができる。ここで、図１８は、他の実施形態に係る納豆容器１ｉの斜視図であり、図１９は、他の実施形態に係る納豆容器１ｉにおいて、本体係合部１３ｉおよび蓋体係合部２３ｉを係合させた状態を示す図であり、図２０は、図１９のＡ−Ａ線に沿う断面概要図である。
【００３６】
納豆容器１ｉでは、図１８および図２０（Ａ）に示すように、本体フランジ部１２ｉにおいて矩形状かつ先端を斜め（側面視において）にした切り込み、ミシン目、または溝を形成することで本体係合部１３ｉを構成するとともに、蓋体フランジ部２２ｉに直線状に切り込み、ミシン目、または溝を形成することで本体係合部１３ｉを構成している。この場合、第１実施形態と同様に、容器本体１０ｉの下側から本体係合部１３ｉを上方向に押し出すことで、本体係合部１３ｉを上方向に突出させ、これにより、図１９および図２０（Ｂ）に示すように、突出部である本体係合部１３ｉを、挿入口である蓋体係合部２３ｉに挿入させることができる。特に、納豆容器１ｉでは、本体係合部１３ｉの先端が側面視において斜めになっているため、本体係合部１３ｉをスライドさせて蓋体係合部２３ｉに挿入させることができるとともに、本体係合部１３ｉが蓋体係合部２３ｉの上面を本体係合部１３ｉに押圧するため、容器本体１０ｅと蓋体２０ｅとを接しさせて、納豆容器１ｅをしっかりと閉じることができ、納豆容器１ｅから放出される臭いを抑えることができる。
【００３７】
以上、本発明の好ましい実施形態例について説明したが、本発明の技術的範囲は上記実施形態の記載に限定されるものではない。上記実施形態例には様々な変更・改良を加えることが可能であり、そのような変更または改良を加えた形態のものも本発明の技術的範囲に含まれる。
【符号の説明】
【００３８】
１〜１ｆ…納豆容器
１０〜１０ｆ…容器本体
１１…凹部
１２〜１２ｆ…本体フランジ部
１３〜１３ｆ…本体係合部
２０〜２０ｆ…蓋体
２１…蓋部
２２…蓋体フランジ部
２３〜２３ｆ…蓋体係合部
３０…接続部
４０…接着層
【図１】
2020029264.tif 000003
【図２】
2020029264.tif 000004
【図３】
2020029264.tif 000005
【図４】
2020029264.tif 000006
【図５】
2020029264.tif 000007
【図６】
2020029264.tif 000008
【図７】
2020029264.tif 000009
【図８】
2020029264.tif 000010
【図９】
2020029264.tif 000011
【図１０】
2020029264.tif 000012
【図１１】
2020029264.tif 000013
【図１２】
2020029264.tif 000014
【図１３】
2020029264.tif 000015
【図１４】
2020029264.tif 000016
【図１５】
2020029264.tif 000017
【図１６】
2020029264.tif 000018
【図１７】
2020029264.tif 000019
【図１８】
2020029264.tif 000020
【図１９】
2020029264.tif 000021
【図２０】
2020029264.tif 000022